(57)【要約】【課題】  フロント部の両側に継手を介して折畳み出来るように取付けたツルが、メガネを掛ける際に開いた状態から、バネ力の作用下においてさらに外方向へ僅かに押し開くことが出来るツル連結構造の提供。【解決手段】  ツル２のヨロイ側には屈曲または湾曲した板バネ１０の基部１５を内側に取付けると共に先端部側はツル内側との間に空間１９を形成し、ヨロイの連結部２０、板バネ先端部、及びツル端部にはスリット溝を設け、これらスリット溝には板材から成り基部８とカギ部９を有している継手７をツル側から嵌めてカギ部先端を連結部先端に形成した係合溝１７に係合し、板バネ先端部はヨロイ連結部２０にバネ力を付勢して接触させている。【選択図】    図３
0003126803.tif 000002
【実用新案登録請求の範囲】
【請求項１】
フロント部の両側に継手を介して折畳み出来るように取付けたツルが、メガネを掛ける際に開いた状態から、バネ力の作用下においてさらに外方向へ僅かに押し開くことが出来るツル連結構造において、ツルのヨロイ側には屈曲または湾曲した板バネの基部を内側に取付けると共に先端部側はツル内側との間に空間を形成し、ヨロイの連結部、板バネ先端部、及びツル端部にはスリット溝を設け、これらスリット溝には板材から成り基部とカギ部を有している継手をツル側から嵌めてカギ部先端を連結部先端に形成した係合溝に係合し、板バネ先端部はヨロイ連結部にバネ力を付勢して接触していることを特徴とするツル継手構造。
【請求項２】
上記ツル及び板バネの基部にはスリット溝を設け、これらスリット溝に板材から成って基部と嵌合部を有す連結具をツル側から嵌め、嵌合部に形成した溝に板バネの基部を係合して固定した請求項１記載のツル継手構造。
【請求項３】
上記ツル、板バネ、ヨロイ連結部、及び継手を一定厚さの板材とした請求項１、又は請求項２記載のツル継手構造。
【考案の詳細な説明】
【技術分野】
【０００１】
本考案はメガネフレームのツルを折畳み可能に連結すると共に、開いた状態からはバネ力が付勢されて外方向へ僅かに開くことが出来るようにしたメガネフレームのツル継手構造に関するものである。
【背景技術】
【０００２】
ツルが開いた状態から外方向へ僅かに押し開くことが出来るように機能する継手はバネ蝶番と称され、メガネフレームのツル連結手段として多用されている。特開２００１−２９０１０８号に係る「連結構造」はメガネフレームのテンプルとヨロイとを相対的に回動可能に連結するもので、テンプルの一端に二又に分岐させて形成した一対の片体を設けて水平方向に間隙を確保し、各片体に夫々孔を穿設すると共に、各片体に対向する溝をテンプルの長手方向に沿って延設しており、この対向する溝間に付勢部材を保持され、付勢部材の付勢力によってヨロイに対して付勢される移動部材を付勢部材に係着し、テンプルの間隙に移動可能に位置させている。
【０００３】
このように、開いた状態のツルを戻し方向へのバネ力を付勢して外方向へ押し開くことが出来るように構成し、その為にコイルバネを用いている。すなわち、コイルバネを圧縮変形させることでバネ力を発生しているが、その為に上記コイルバネを伸縮変形させる摺動部材が必要となっている。そこで、ゴミの介入やサビの発生でこの摺動部材の摺動に支障をきたす場合、ツルの開き操作がスムーズに機能しないことになる。
【０００４】
図７には最も基本的なバネ蝶番と称されるツル継手構造を示している。すなわち、該バネ蝶番の基本的な考えは、ヨロイ(イ)には固定蝶片(ロ)をロウ付け固定し、他方の蝶片を摺動蝶片(ハ)として一定距離の摺動を許すことによって外方向への開きをツル(ニ)に与えることが出来る。
【０００５】
ツル(ニ)にはガイド溝が形成され、摺動蝶片(ハ)はガイド溝を案内として摺動する訳であるが、上記摺動蝶片(ハ)の内部空洞にはコイルバネ(ホ)が収まっていて、ツル(ニ)を外ヘ開く際には摺動蝶片(ハ)が固定蝶片(ロ)側へ引張られて圧縮される。該コイルバネ(ホ)は摺動蝶片(ハ)の内部空洞入口に設けられてツル(ニ)の溝穴(ヘ)に係止したツメ(ト)に当たり、該ツメ(ト)はストッパーとして機能している。その結果、コイルバネ(ホ)の復元力がツル(ニ)に作用して、該ツル(ニ)を元の位置に戻そうとする。
【０００６】
ところで、上記摺動蝶片(ハ)にコイルバネ(ホ)を内蔵した蝶番構造は同図に示すごとく複雑であり、したがって製作工数も増大し、コスト的には高価なバネ付き蝶番と成ってしまう。しかも構造が複雑化している為に故障し易く、一旦故障すれば修理し難い等の問題もある。摺動蝶片(ハ)の内部空洞にコイルバネ(ホ)と芯金を押し込んでツメ(ト)に係止するならば、該ツメ(ト)並びにコイルバネ(ホ)を取り外すことが出来ない。
【０００７】
すなわち、ツメ(ト)は摺動蝶片(ハ)のガイドに拘束された状態でツメ(ト)の係止片(チ)が溝穴(ヘ)に嵌入し、芯金の頭(リ)はバネ力をもってツメ(ト)に当接し、係止片(チ)を溝穴(ヘ)へ押し込む力が働くことになる。従って、このツメ(ト)を摺動蝶片(ハ)から取外すことが出来なくなると同時に、修理は不能となる。
【０００８】
勿論、バネ蝶番と同じ機能を果たすことが出来る継手構造は他にも色々あって、メガネを掛けた際にツルは顔側面から頭部にかけてフィットする。しかし、従来の継手構造は一般的に複雑であると共に組み付けが面倒であり、その為に修理が容易でない。上記図７に示すバネ蝶番を取付ける場合には、ツル(ニ)には摺動蝶片(ハ)が摺動するガイドを設ける必要があり、そしてコイルバネ(ホ)及び芯金を挿入し、ツメ(ト)を嵌めなくてはならず、一般的な蝶番をロウ付けして取付けるように簡単ではない。
【０００９】
又、同図に示すバネ蝶番では、コイルバネ(ホ)やツメ(ト)を収容する摺動蝶片(ハ)がツル(ニ)の内側に大きく突出した形態となり、メガネの外観が損なわれると共に重くなってしまう。近年のスリムなメガネフレーム用のバネ蝶番としては外観的にも適さない。
【特許文献１】特開２００１−２９０１０８号に係る「連結構造」
【考案の開示】
【考案が解決しようとする課題】
【００１０】
このように、従来のツル連結構造には上記のごとき問題がある。本考案が解決しようとする課題はこれら問題点であり、メガネフレームの外観を損なうことなく、しかもシンプルな構造にて構成されるツル継手構造を提供する。しかも、ツルは着脱可能な取付け構造とする。
【課題を解決するための手段】
【００１１】
本考案に係るメガネフレームのツル継手構造は、フロント部両側にはヨロイが設けられ、該ヨロイにツルが連結されるが、間には継手が介在してツルは該継手を介して折畳まれる。ここで、本考案の継手構造を構成する上記継手は金属板などを所定の形状としたものであり、基部とカギ部とを有している。そして、ツル側には板バネを取着し、基部はツルに固定されているが板バネの先端部側はツル内側との間に空間を残してヨロイの連結部外側に接している。
【００１２】
ところで、上記継手はツルと板バネに設けたスリットを貫通し、先端のカギ部がヨロイ連結部に設けたスリット溝に嵌合すると共にカギ先端が連結部先端に形成した係合溝に係合してツルを連結している。ここで、ツルの外側には寸法的に大きな基部が位置してストッパーとして機能し、カギ部がヨロイ連結部のスリット溝を貫通して係合溝に係合することで連結される。そして、上記板バネの先端部がヨロイ連結部に当接すると共にバネ力を付勢している。
【００１３】
従って、ツルはヨロイ連結部と所定の間隔(空間)を隔てて連結され、しかも板バネのバネ力にてガタ付くことなく安定する。ところで、ツルは継手のカギ部が連結部に形成したスリット溝内で回転することで折畳まれ、又板バネが撓み変形することで外方向へ押し開くことが出来る。すなわちバネ蝶番として機能する。
【考案の効果】
【００１４】
本考案のツル継手構造は、ヨロイとツルの間に板バネを設けている為に、ツルの開閉動作に際して板バネが撓み変形することが出来る。継手を介してツルは折畳まれ、一方では板バネの撓み変形によって外方向へ押し開くことが可能と成り、バネ蝶番としての機能を備えることが出来、位置ズレすることなく安定してメガネを掛けることが出来る。
【００１５】
そして本考案のツル継手構造は、カギ形の継手を介してツルはヨロイに取付けられ、該継手を取外すことでツルは分離できる。そして、ツルに取付けた板バネがヨロイに当ってバネ力を付勢することで、ツルはガタ付くことなく安定して取付けられ、ツルの折畳み操作もスムーズに行われる。一方、ヨロイ、板バネ、及びツルを板材で構成し、継手も基部とカギ部を有す板材から成り、そして継手が嵌るスリット溝をツル、ヨロイ、及び板バネに形成することで、継手構造は非常に簡素化され、製作及び組み立ても簡単となる。
【実施例】
【００１６】
図１は本考案のツル継手構造を備えているメガネフレームを示している。同図の１はフロント部、２はツルを示し、フロント部１は両リム３，３とワタリ４で構成され、ワタリ４にリム３，３がロウ付けなどにて取着されている。ワタリ４はその両側に上記リム３，３を取着すると共に、両側端にはヨロイ部５，５を連続して形成している。リム３にはレンズを嵌めることが出来るが、その為にブローチ６を設けている。同図に示すメガネフレームの上記ワタリ４は金属板を所定形状に切断又は打ち抜いて製作され、ヨロイ５，５は渡りの両側端に一体的に成形しているが、本考案ではメガネフレームの形態を特に限定するものではない。
【００１７】
そこで、ブローチ６のネジを弛めることでリム３の周長が拡大してレンズの着脱が可能と成り、該ネジを締めることでレンズはリム３から外れることはない。そして、ヨロイ５の先端には上記ツル２が折畳み出来るように連結されているが、本考案では従来の蝶番継手を使用していない。図２は本考案の継手構造を構成する継手７を示す具体例である。
【００１８】
該継手７は一定厚さの金属板を打ち抜いたり、又は切断して製作され、その形状は基部８とカギ部９とから成っている。この継手７はツル２の端部に設けたスリット溝２２から嵌って板バネ１０のスリット溝２３を貫通し、そのカギ部９がヨロイ連結部２０の先端部に形成したスリット溝１６に嵌り、カギ先端は係合溝１７に係合して連結される。そして、ツル２は該継手７を介して折畳むことが出来る訳で、ツル２と共に継手７のカギ部９がヨロイ５のスリット溝１６に嵌った状態で回転することが出来る。
【００１９】
図３は本考案の継手構造を表している実施例であり、(ａ)は組み立て図、(ｂ)は展開図をそれぞれ示している。同じく図４(ａ)、(ｂ)も継手構造の組み立て図と展開図であるが、斜視図にて表している。ツル２のヨロイ側端部には板バネ１０が連結具１１にて取付けられている。連結具１１は上記継手７と同じように金属板を打ち抜いたり又は切削したもので、基部１２と嵌合部１３を有し、嵌合部１３には溝１４が形成されている。
【００２０】
上記板バネ１０はツル２と同じ高さ寸法の細長い形状を成し、中間部位にて屈曲している。基部１５にはスリット溝１８が貫通して設けられ、ツル２の内側に該基部１５が当接して上記連結具１１にて固定される。すなわち、ツル２に設けたスリット溝１９に連結具１１の嵌合部１３が嵌入し、ツル内側へ突出した嵌合部１３を板バネ１０の基部１５に設けたスリット溝１８に嵌めて取付け、しかも板バネ１０をフロント部側へスライドして嵌合部１３に形成した溝１４に嵌める。
【００２１】
板バネ１０の厚さは溝１４の幅寸法と成っている為に、板バネ１０の基部１５はツル２の内側に当接した状態で連結具１１を介してツル２に固定される。そして板バネ１０は中間部位にて屈曲していることで、先端部側はツル２から離れて空間１９を形成している。このように、板バネ１０は連結具１１を介して着脱可能に取付けられるが、ロウ付けにて完全に固定することも出来る。そして、ツル２をヨロイ５の先端に設けた連結部２０に継手７を介して連結されるが、板バネ１０の先端部はヨロイ連結部２０に接すると共にバネ力を付勢しているが、板バネ１０の先端部はツル側へ撓むことが出来る。
【００２２】
板バネ１０の先端部はヨロイ連結部２０に当接すると共にバネ力を付勢し、ツル２を外方向へ押し開く際には撓み変形し、付勢しているバネ力にて手を離せば元の位置へ戻される。従って、ツル２はガタ付くことなく安定して取付けられ、しかもスムーズに折畳むことが出来る。又、ツル２と板バネ１０との間には空間１９を有している為に、この空間の範囲内でツル２を外方向へ押し開くことが可能と成る。
【００２３】
図５はツル２に挿着したモダンを外方向へ押し開いた場合の継手構造を表している。板バネ１０が撓み変形して空間１９が縮小し、ツル２のヨロイ側先端２１が板バネ１０に当接することが出来る。モダンから手を離すならば板バネ１０が元の形状に復元して図３のように板バネ１０とツル２の間には空間１９が形成される。すなわち、バネ蝶番と同じ機能を備えることが出来る。
【００２４】
図６はツル２が折畳まれた場合を示している。継手７のカギ部９はヨロイ５の連結部２０に形成したスリット溝１６に嵌り、そしてカギ部９は円弧状に湾曲している。従って、スリット溝１６に嵌っているカギ部９は回転してツル２が折畳まれる。この場合、板バネ１０にはヨロイ５の連結部先端が接し、該連結部先端と板バネ１０の接点が回転中心となる。折畳まれる場合にも板バネ１０はヨロイ連結部先端に当接すると共にバネ力を付勢している。
【図面の簡単な説明】
【００２５】
【図１】ツル継手構造を備えたメガネフレーム。
【図２】ツル継手構造を構成する継手の具体例。
【図３】本考案に係るツル継手構造を示す実施例。
【図４】本考案に係るツル継手構造を斜視図で示す実施例。
【図５】ツルを外方向へ押し開いた場合のツル継手構造。
【図６】ツルが折畳まれた場合のツル継手構造。
【図７】従来のバネ蝶番。
【符号の説明】
【００２６】
１  フロント部
２  ツル
３  リム
４  ワタリ
５  ヨロイ
６  ブローチ
７  継手
８  基部
９  カギ部
10  板バネ
11  連結具
12  基部
13  嵌合部
14  溝
15  基部
16  スリット溝
17  係合溝
18  スリット溝
19  スリット溝
20  連結部
21  ヨロイ側端
22  スリット溝
23  スリット溝
【図１】
0003126803.tif 000003
【図２】
0003126803.tif 000004
【図３】
0003126803.tif 000005
【図４】
0003126803.tif 000006
【図５】
0003126803.tif 000007
【図６】
0003126803.tif 000008
【図７】
0003126803.tif 000009